(57)【要約】【課題】  木造住宅の断熱屋根における隅棟に交差する２つの屋根面の換気を可能として，これを含めた屋根全体の換気ができるようにする。【解決手段】  隅棟３の隅木３１上にスペーサ３４を配置し，このスペーサ３４と野地板６を離隔配置することによって隅木３１の側面上方に一連の棟側エア通路３５を形成するとともに隅木３１に空隙５５を形成するように配付垂木３６間に断熱材５を配置し，その屋根面エア通路５３を棟側エア通路３５と連通するようにして，これらの間で棟側エア通路３５の先端からの外気が隅棟３に交差する屋根面を流通して，例えば本棟の棟換気装置によって外部に排出するようにする。谷木上にスペーサを設置して同じ構成とすれば，谷に交差する屋根面に適用してその換気も可能となる。【選択図】        図５
2005256370.tif 000002
【特許請求の範囲】
【請求項１】
隅木又は谷木にその側面上方部分を残すように段差を付して配付垂木を配置するとともに配付垂木上に載置固定した野地板を隅木又は谷木の側面上方部分から離隔配置することによって該側面上方部分と野地板間に隅木又は谷木の長手方向に沿って連通する棟側エア通路を形成し且つ隅木又は谷木との間に空隙を配置して野地板下面と隣接する配付垂木間に該配付垂木に平行な屋根面エア通路を備えた断熱材を配置することによって該屋根面エア通路を上記隅木又は谷木との間の空隙を介して上記棟側エア通路に連通してなることを特徴とする断熱換気屋根を有する建築物。
【請求項２】
上記隅木又は谷木を上面に嵩上げ用のスペーサを備えた縦断面２重構造とし，上記配付垂木の段差を付した配置を隅木又は谷木のスペーサを除く本体部分と上面を合わせるように行なうことによって，上記棟側エア通路を該スペーサの側面と野地板間に形成してなることを特徴とする請求項１に記載の断熱換気屋根を有する建築物。
【発明の詳細な説明】
【技術分野】
【０００１】
本発明は，軸組工法，枠組壁工法等における２つの屋根面が交差する隅棟又は谷部分の換気を可能とした断熱換気屋根を有する建築物に関する。
【背景技術】
【０００２】
この種２つの屋根面が交差する部分の換気を可能とした建築物として，その隅棟について，例えば隅木を断面凸形状とし，隅木の側面にその上方に突出するように配付垂木を配置し，該配付垂木上に載置固定した野地板を隅木の上方に相互に突き合せ状に配置し，隅木の上面にこれに沿って連通するエア通路を形成し，野地板下面と隣接する配付垂木間の空気をエア通路に誘導して屋根換気を行なうようにし，更に配付垂木の下面に下地材を配置し，これに現場吹付けによる発泡系の断熱層を配置したものが知られている。また，例えば上面中央にこれを幅方向に分離するようにその長手方向に向けた中央溝と該中央溝に所定ピッチで直交するように連通する横断方向に向けた横断溝とによるエア通路を形成した隅木を使用して，同様に野地板下面と隣接する配付垂木間の空気を横断溝から中央溝に誘導して屋根換気を行なうようにしたものが知られている。
【０００３】
【特許文献１】特開２００１−３２４３１号公報
【特許文献２】第３０３８５６９号実用新案公報
【発明の開示】
【発明が解決しようとする課題】
【０００４】
これらによれば交差する２つの屋根面の換気を行なうことができるが，これらは野地板下面と配付垂木間のスペースに断熱材を配置するとエア通路が塞がれるために，該スペースを空けておく必要があり，従ってそれ自体断熱屋根とするに適しておらず，屋根の断熱性を確保するには，前者のように配付垂木の下面に下地材を張り，該下地材の室内側に断熱層を現場施工によって形成するという煩雑工事を必要とすることになる。
【０００５】
また，一般に隅棟に用いる隅木は上面を断面逆Ｖ字状とするように屋根の傾斜に合せて構造材の上側両端を切り落とししたものとされるところ，これらの隅木は，これを断面凸形状とするか，上面に中央溝と多数の横断溝のエア通路を形成するために複雑な切削を必要とするために，その加工が煩雑化する傾向を招くという問題点を残している。
【０００６】
本発明はかかる事情に鑑みてなされたもので，その解決課題とするところは，隅棟と谷の双方に共通に適用でき，可及的に簡易な構造にして確実な屋根面の換気をなし得るとともにその現場作業を可及的に容易とした断熱換気屋根を有する建築物を提供するにある。
【課題を解決するための手段】
【０００７】
上記課題に添って本発明は，隅木又は谷木に対する配付垂木配置の関係，配付垂木に対する野地板及び配付垂木間の断熱材配置の関係を規制して隅木又は谷木の側面上方部分と野地板間に棟側エア通路を形成し，野地板下面と配付垂木間に配置する断熱材に形成した配付垂木に平行な屋根面エア通路を該棟側エア通路と連通する簡易な構造によって，常法に従って隅木又は谷木の断面形状を設定し且つ配付垂木間への断熱材の配置を行ない乍ら，隅棟又は谷において交差する２つの屋根面の換気を簡易な現場作業によって確実になし得るようにしたものであって，即ち請求項１に記載の発明を，隅木又は谷木にその側面上方部分を残すように段差を付して配付垂木を配置するとともに配付垂木上に載置固定した野地板を隅木又は谷木の側面上方部分から離隔配置することによって該側面上方部分と野地板間に隅木又は谷木の長手方向に沿って連通する棟側エア通路を形成し且つ隅木又は谷木との間に空隙を配置して野地板下面と隣接する配付垂木間に該配付垂木に平行な屋根面エア通路を備えた断熱材を配置することによって該屋根面エア通路を上記隅木又は谷木との間の空隙を介して上記棟側エア通路に連通してなることを特徴とする断熱換気屋根を有する建築物としたものである。
【０００８】
請求項２に記載の発明は，上記に加えて，隅木又は谷木に対する配付垂木配置の関係によって，構造強度の確保のために，隅木又は谷木を配付垂木の高さ寸法より高く設定することによる煩雑さを解消して，既存の高さ寸法の隅木又は谷木を用いてこれに対する配付垂木配置の関係を可及的容易に確保し得る形態のものとするように，これを，上記隅木又は谷木を上面に嵩上げ用のスペーサを備えた縦断面２重構造とし，上記配付垂木の段差を付した配置を隅木又は谷木のスペーサを除く本体部分と上面を合わせるように行なうことによって，上記棟側エア通路を該スペーサの側面と野地板間に形成してなることを特徴とする請求項１に記載の断熱換気屋根を有する建築物としたものである。
【０００９】
本発明はこれらをそれぞれ発明の要旨として上記課題解決の手段としたものである。
【００１０】
なお本発明において棟側エア通路の棟とは，隅棟及び谷の２つの屋根が交差する稜線及び谷線部分の双方を含むように用い，従って棟側エア通路は隅棟の隅木に形成したものと谷の谷木に形成したものを含む意味に用いる。
【発明の効果】
【００１１】
本発明は以上の構成のものとしたから，請求項１に記載の発明は，隅木又は谷木に対する配付垂木配置の関係，配付垂木に対する野地板及び配付垂木間の断熱材配置の関係を規制して隅木又は谷木の側面上方部分と野地板間に棟側エア通路を形成し，野地板下面と配付垂木間に配置する断熱材に形成した配付垂木に平行な屋根面エア通路を該棟側エア通路と連通する構造とすることによって，隅棟と谷の双方に共通に適用でき，可及的に簡易な構造にして確実な屋根面の換気をなし得るとともにその現場作業を可及的に容易とした断熱換気屋根を有する建築物を提供することができる。
【００１２】
請求項２に記載の発明は，上記に加えて，隅木又は谷木に対する配付垂木配置の関係によって，構造強度の確保のために，隅木又は谷木を配付垂木の高さ寸法より高く設定することによる煩雑さを解消して，既存の高さ寸法の隅木又は谷木を用いてこれに対する配付垂木配置の関係を可及的容易に確保し得る形態のものとすることができる。
【発明を実施するための最良の形態】
【００１３】
以下図面の例に従って更に具体的に説明すれば，１は，隅棟３及び谷４を持つ軸組構造，枠組み壁構造の木造家屋における屋根であり，該屋根１は，本棟２，隅棟３及び谷４のそれぞれにおいて交差する各２つの屋根面の全面に亘るように野地板７下面と垂木２３乃至配付垂木３６，４５間に断熱材５を配置した断熱屋根とし，本棟２において図示省略の，例えばアルミ製の棟換気装置を備え，隅棟３及び谷４において交差する２つの屋根面を含めて屋根１全体の空気を本棟２の棟換気装置を介して外部に排出することによってその換気を本棟において集中的に行なうようにしてある。
【００１４】
このとき屋根１は，その隅棟３及び谷４に交差する各２つの屋根面の換気を，その小屋組み構造によって上記本棟２に空気を誘導してこれをなし得るようにしてあり，該換気は，該隅木３１又は谷木４１にその側面上方部分を残すように段差を付して配付垂木３６，４５を配置するとともに配付垂木３６，４５上に載置固定した野地板６を隅木３１又は谷木４１の側面上方部分から離隔配置することによって該側面上方部分と野地板６間に隅木３１又は谷木４１の長手方向に沿って連通する棟側エア通路３５，４４を形成し且つ隅木３１又は谷木４１との間に空隙を配置して野地板６下面と隣接する配付垂木３６，４５間に該配付垂木３６，４５に平行な屋根面エア通路５３を備えた断熱材５を配置することによって該屋根面エア通路５３を上記隅木３１又は谷木４１との間の空隙５５を介して上記棟側エア通路３５，４４に連通することによって行なったものとしてある。
【００１５】
本例にあって上記隅木３１又は谷木４１は，これらをその上面に嵩上げ用のスペーサ３４，４３を備えた縦断面２重構造とし，上記配付垂木３６，４５の段差を付した配置を隅木３１又は谷木４１のスペーサ３４，４３を除く本体部分と上面を合わせるように行なうことによって，上記棟側エア通路３５，４４を該スペーサ３４，４３の側面と野地板６間に形成したものとしてある。
【００１６】
即ち本例の隅木３１又は谷木４１は，方形断面の木材を上面逆Ｖ字状に切削加工し，また上面Ｖ字状に切削加工することによって，木造住宅に一般に使用される断面形状の大きさのものを該隅木３１及び谷木４１の本体部分として，これをそのまま使用するとともにこれらにそれぞれスペーサ３４，４３を載置固定することによって上記上面逆Ｖ字状，上面Ｖ字状の形状を維持した状態でその高さを高くするように嵩上げし，縦断面において本体部分と該スペーサ３４，４３を上下に重合した上記２重構造をなすものとしてあり，これによって，例えば一般より太い方形断面の木材を切削加工して形成することによる煩雑さや納まりの変更を伴うことなく，隅木３１及び谷木４１の高さ寸法を簡易に嵩上げして小屋組みの構造材として使用可能としてあり，このときスペーサ３４，４３は，例えば野地板用の構造用合板を，隅木３１及び谷木４１の片側傾斜面の幅に略合せた幅に切断した長尺板材を用い，該長尺板材を隅木３１又は谷木４１の両側の傾斜面に，その幅方向端部を揃えるようにそれぞれ長手方向全長，即ち隅棟３又は谷４の長さの全長に亘るように載置固定してある。
【００１７】
配付垂木３６，４５は，該隅木３１又は谷木４１の側面にその側面上方部分を残して該側面上端との間に，配付垂木３６，４５上端が低い段差を形成するように設置してその配置を行ったものとしてあり，本例にあって該配付垂木３６，４５は，その上端を上記隅木３１又は谷木４１の上記スペーサ３４，４３を除く本体部分の上端に面一に合せるようにその側面に対して常法に従って突当て固定してあり，これによって屋根Ａの小屋組みとしてある。このとき隅木３１又は谷木４１に対する配付垂木３６，４５は，該隅木３１又は谷木４１に対して，例えば４５°の角度をなしてそれぞれ傾斜突合せ配置することによって隅木３１又は谷木４１の各両側に，相互に平行とし且つ本棟２に対する垂木２３と平行となるように多数本を配置してある。
【００１８】
野地板６は，常法に従って垂木２３乃至配付垂木３６，４５上に載置固定してその配置を行なったものとしてあり，このとき野地板６はその隅木３１又は谷木４１側の先端を，該隅木３１又は谷木４１の側面，本例にあってはその上面に配置したスペーサ３４，４３の幅方向両側の側端から，例えば数ｃｍ程度間隔をあけて，やや配付垂木３６，４５長手方向にずらすように張設することによってその載置固定を行なってあり，これにより各配付垂木３６，４５先端の上にはそれぞれ該間隔に応じた小空隙を形成し，該小空隙によって隅木３１又は谷木４１の幅方向両側の側面上方部分と野地板６間に，隅木３１又は谷木４１の長手方向に沿い且つその先端から奥行方向に向けて一連に連続するように連通するようにしてあり，これによって上記棟側エア通路３５，４４を形成配置したものとしてある。
【００１９】
一方断熱材５は，上記隅木３１又は谷木４１に対して突当て固定した配付垂木３６，４５間の間隔に合せた幅を有し，野地板６に合せた長さを有して，その上面の幅方向両側端部に上向きのリブ５１を隆起して配置することによって，該上面を長手方向に開口した凹陥面による幅広溝をなす屋根面エア通路５３とし，本例にあって，例えば発泡ポリスチレンフォーム，硬質ウレタンフォーム等の独立気泡による発泡樹脂製の成形パネルによるものとしてあり，該断熱材５は，これを野地板６下面と配付垂木３６，４５間，即ち隅木３１又は谷木４１と一対の配付垂木３６，３６又は４５，４５，必要に応じて配置する配付垂木３６，４５長手方向中間又は先端の転び止め又は破風板によって囲繞される野地板６下面の各スペースに，屋根面エア通路５３を相互に，そして本棟２に交差する屋根面の断熱材５とも連通するように，その上面の屋根面エア通路５３を配付垂木３６，４５と平行にして野地板６下面に上記リブ５１を当接して嵌着し，例えばリブ５１の上面を野地板６下面に対して接着固定することによってその装着を行ったものとしてあり，これにより各スペースに嵌着した装着状態で，上記凹陥面にして上面を開放した屋根面エア通路５３をそれぞれ野地板６によって閉塞するようにしてあり，本例にあって該断熱材５は上記本棟２の棟木２１に対する野地板６下面と垂木２３間にも共通に使用して同様にこれを配置したものとしてある。
【００２０】
このとき本例にあって断熱材５は，その隅木３１又は谷木４１側先端を，例えば野地板６の先端と合せるように配置してあり，これによって，該野地板６が隅木３１又は谷木４１の側面から離隔した上記数ｃｍ幅の小空隙と同様に隅木３１又は谷木４１の本体部分側面上方との間に数ｃｍ程度離隔した配付垂木３６，４５間の上記空隙５５を形成してあり，該断熱材５は小屋組みの傾斜に応じて配置されることによって，隅木３１に対してその先端側の端面の下端を対接し，谷木４１に対して離隔してこれを非接触とするように該空隙５５が形成される。
【００２１】
このように隅木３１又は谷木４１と数ｃｍ程度離隔して配付垂木３６，４５間，特にその先端部分に空隙５５を配置することによって，隅木３１又は谷木４１に沿って配置した上記棟側エア通路３５，４４はそれぞれ配付垂木３６，４５間で該空隙５５に面して開放され，棟側エア通路３５，４４と該空隙５５が相互に連通するとともに，野地板６下面と配付垂木３６，４５間のスペースに配置した断熱材５の屋根面エア通路５３が該空隙５５に連通することによって，該空隙５５を介して棟側エア通路３５，４４と屋根面エア通路５３とが相互に連通するようにしてある。
【００２２】
従って棟側エア通路３５，４４の先端を屋根下端位置で開放し，後端を本棟２の棟換気手段，例えばその常法に従って本棟２に配置したその本棟エア通路２２に連通させて各棟側エア通路３５，４４が本棟２に至るようにすれば，隅棟３又は谷４に交差する２つの屋根面の換気を可能とすることができる。即ち図４に示すように垂木２３乃至配付垂木３６，４５は，屋根先端と本棟２の棟木２３，隅棟３の隅木３１又は谷４の谷木４１との間に配置されるように垂木２３乃至配付垂木３６の屋根先端側が開放されている形態，本棟２の棟木２１と谷木３１との間に配置されるように配付垂木４５の両端が塞がれている形態があり，従って隅棟３又は谷４において配付垂木３６，４５間に断熱材５を配置してあることによって，屋根先端側が開放されている形態にあっては，棟側エア通路３５と屋根面エア通路５３がそれぞれ外部と連通するとともにこれらが相互に連通することによって該屋根面に流入移動する一方，両端が塞がれた形態にあっては，棟側エア通路４４からの外気が屋根面エア通路５３に流入移動して，外気がそれぞれこれら屋根面を流通し，屋根面エア通路５３から直接に本棟エア通路２２に至り又は再度棟側エア通路４４に復帰しこれを経由して本棟エア通路２２に至ってその排出を行うものとすることができる。
【００２３】
本例の小屋組み施工は，隅木３１又は谷木４１へのスペーサ３４，４３の載置固定，小空隙形成の野地板６載置固定，同じく空隙５５形成の断熱材５装着を行なう他は，一般的な小屋組み方法に従ってこれを行なえばよく，また野地板６上にはルーフィング７を介して屋根外装材８を配置する等，屋根外装も常法に従って行なえばよい。
【００２４】
図中３２は隅棟３の笠木，３３はその棟包み，４２は谷４の吊子，５２は断熱材５の上記リブ５１との間でスプリング効果を発揮し得るように幅方向両側のリブ５１外側に配置して垂木２３乃至配付垂木３６，４５に圧接自在とした端部押圧脚，５４は断熱材５の屋根面エア通路５３の面内中間位置に配置した野地板６支持及び接着用の突起をそれぞれ示す。
【００２５】
従って本例の屋根１にあっては，断熱材５を装着して屋根先端側を開放した，例えば配付垂木３６の配置形態，両側を塞いだ配付垂木４５の配置形態を問わずに，隅木３１又は谷木４１の棟側エア通路３５，４４と断熱材５の屋根面エア通路５３を連通させることによって，外気を本棟２，例えばその本棟エア通路２２から外部に排出して，隅棟３又は谷４に交差する２つの屋根面の換気を行うことができる。従って該２つの屋根面は，野地板６下面と配付垂木３６，４５間のスペースにこれを充填するように配置した断熱材５によって断熱屋根とされるにも拘らず，本棟２で交差する２つの屋根面と同様にその換気をなし得る結果，屋根１を常に除湿状態に維持し，屋根１における湿気の滞留を防止し，湿気が滞留することによって招来される屋根１のトラブルを解消した断熱換気屋根を有する木造住宅とすることができる。
【００２６】
また本例にあっては，隅木３１又は谷木４１に対する配付垂木３６，４５配置の関係，配付垂木３６，４５に対する野地板６及び配付垂木３６，４５間の断熱材５配置の関係を規制して隅木３１又は谷木４１の側面上方部分と野地板６間に棟側エア通路３５，４４を形成するとともに断熱材５の屋根面エア通路５３を連通させるようにし，このとき隅木３１又は谷木４１にスペーサ３４，４３を使用してその小屋組みを構成するものであるから，小屋組みに使用する隅木３１又は谷木４１等の構造材，野地板６，断熱材５等の材料及び小屋組みの施工を一般的に行なわれる方法によるようにしながら，これを幾分変更することによって，隅棟３又は谷４に交差する２つの屋根面の換気を簡易な施工とシンプルな構造によって確実になし得るものとすることができる。
【００２７】
図示した例は以上のとおりとしたが，隅木又は谷木を，上記スペーサを用いることなく，その側面上方部分において上記野地板  との間に棟側エア通路を形成自在とするように単一にして一体の木材を加工することによってこれを構成すること，隅木又は谷木を上記に準じて，例えば鋼材によって構成することによって，木造以外の建築物における隅棟又は谷に適用すること等を含めて，本発明にあって，建築物，隅木又は谷木，配付垂木，野地板，棟側エア通路，断熱材，屋根面エア通路，必要に応じて用いるスペーサ等の各具体的構造，形状，材質，これらの関係，これらに対する付加等は，上記発明の要旨に反しない限り，様々な形態のものとすることができる。
【図面の簡単な説明】
【００２８】
【図１】棟側エア通路と本棟エア通路の関係を示す野地板の個別表示を省略した住宅屋根の平面図である。
【図２】図１のＡ部分の拡大図である。
【図３】図１のＢ部分の拡大図である。
【図４】図１の屋根における小屋組みを示す斜視図である。
【図５】隅棟部分の縦断面図である。
【図６】谷部分の縦断面図である。
【図７】隅棟部分の隅木，配付垂木，断熱材及び野地板の関係を示す斜視図である。
【図８】谷部分の谷木，配付垂木，断熱材及び野地板の関係を示す斜視図である。
【図９】断熱材の斜視図である。
【符号の説明】
【００２９】
１  屋根
３  隅棟
４  谷
５  断熱材
６  野地板
３１  隅木
３５  棟側エア通路
３６  配付垂木
４１  谷木
４４  棟側エア通路
４５  配付垂木
５３  屋根面エア通路
【図１】
2005256370.tif 000003
【図２】
2005256370.tif 000004
【図３】
2005256370.tif 000005
【図４】
2005256370.tif 000006
【図５】
2005256370.tif 000007
【図６】
2005256370.tif 000008
【図７】
2005256370.tif 000009
【図８】
2005256370.tif 000010
【図９】
2005256370.tif 000011